(57)【要約】【課題】  省スペースに配置可能であり、かつ低コストな位置検出系を備えたレンズ鏡筒を提供することである。【解決手段】  固定部材、もしくは可動部材のどちらか一方にカラーセンサを配置し、他方に被検出部を有するレンズ鏡筒において、前記被検出部が色彩エンコーダパターンであることを特徴とする構成とした。【選択図】  図６
2012123150.tif 000002
【特許請求の範囲】
【請求項１】
固定部材、もしくは可動部材のどちらか一方にカラーセンサを配置し、
他方に被検出部を有するレンズ鏡筒において、
前記被検出部が色彩エンコーダパターンであることを特徴とするレンズ鏡筒。
【請求項２】
前記色彩エンコーダパターンは少なくとも２種類以上の色で構成され、任意幅で配色が異なることを特徴とする請求項１に記載のレンズ鏡筒。
【請求項３】
前記色彩エンコーダパターンはグラデーション印刷が施されていることを特徴とする請求項１に記載のレンズ鏡筒。
【請求項４】
前記可動部材は、光軸方向に進退するレンズ保持部材であることを特徴とする請求項１乃至請求項３の何れか１項に記載のレンズ鏡筒。
【請求項５】
前記可動部材は、前記固定部材の外周側に配置されて、レンズ保持部材に回転力を伝達
する回転力伝達部材であることを特徴とする請求項１乃至請求項３の何れか１項に記載のレンズ鏡筒。
【請求項６】
請求項１乃至請求項５の何れか１項に記載のレンズ鏡筒を備えたことを特徴する光学機器。
【発明の詳細な説明】
【技術分野】
【０００１】
本発明は、交換レンズ装置、ビデオカメラ、デジタルスチルカメラ等の光学機器に関し、特に、光学素子の位置検出系にセンサとスケールとにより構成されるエンコーダ等の検出器を用いたレンズ鏡筒および光学機器に関するものである。
【背景技術】
【０００２】
上記のような光学機器において、フォーカシングまたはズーミングによるレンズ位置の変化を検出するために、レンズ鏡筒内にエンコードパターンを設けたフレキシブルプリント基板とブラシを設ける例がよく知られている。
【０００３】
また、特許文献１に記載されている例では、ブラシの接片を両側に設けることにより、複数の接片がフレキシブルプリント板の導電パターンを摺動させている。したがって、複数回の周期的な信号を出力するように構成することができ、ブラシ全体の横方向の大きさを小さくできると共に、導電パターンのフレキシブル基板も幅を狭くすることができる。
【０００４】
一方、特許文献２で記載されている光学装置においては、透過波長域が異なった複数のカラーフィルタと、カラーフィルタを透過した光を受光するカラーセンサとを用いて可動部の移動位置を検出する方法が提案されている。
【先行技術文献】
【特許文献】
【０００５】
【特許文献１】特開平５−１８８２６３号公報
【特許文献２】昭５９−７５２０８号公報
【発明の概要】
【発明が解決しようとする課題】
【０００６】
しかしながら、上述の特許文献１に開示された従来技術では、以下のような問題がある。
【０００７】
ブラシをフレキシブルプリント基板上で摺接させる従来例では、ブラシを回転ヘリコイドや定位置回転部材にビスで取り付ける。したがって、回転ヘリコイドや定位置回転部材は、ビスを固定するためのビス止め用穴を配置するために、光軸垂直方向（径方向）に厚みが必要となる。また、検出分解能を高めようとすると導電パターンを増やす必要があり、その結果ブラシ全体の横方向の大きさが広くなってしまう。また、ブラシはフレキシブルプリント基板上で摺動するために耐摩耗性を高める必要がある。ブラシに耐摩耗性処理を施したり、導電パターン上に潤滑油を塗布するとコストがかかる。
【０００８】
特許文献２に開示された従来技術では、透過波長域が異なった複数のカラーフィルタの内、いずれか１つを透過した光をカラーセンサで受光し、このカラーセンサの出力を信号処理してカラーセンサで検出されたカラーフィルタに応じた信号を得るようにしている。したがって、非接触検出のため耐摩耗処理等の必要はない。しかし、検出位置ごとに透過波長域の異なるカラーフィルタを配置するため、検出分解能を高める際には微細化したカラーフィルタを多数取り付ける必要があるため、取り付け作業が困難であった。
【０００９】
そこで、本発明の目的は、省スペースに配置可能であり、かつ低コストな位置検出系を備えたレンズ鏡筒を提供することである。
【課題を解決するための手段】
【００１０】
上記目的を達成するために、本発明は、固定部材、もしくは可動部材のどちらか一方にカラーセンサを配置し、他方に被検出部を有するレンズ鏡筒において、前記被検出部が色彩エンコーダパターンであることを特徴とする。
【発明の効果】
【００１１】
本発明によれば、位置検出手段としてカラーセンナを使用するため位置検出系を小型化することができる。また、非接触による検出のため耐磨耗処理を施す必要がない。したがって、小型で低コストのレンズ鏡筒を提供することができる。
【図面の簡単な説明】
【００１２】
【図１】本発明の実施例１であるレンズ鏡筒のＷＩＤＥ状態での断面図。
【図２】実施例１のレンズ鏡筒のＴＥＬＥ状態での断面図。
【図３】実施例１のレンズ鏡筒に搭載されるフォーカスユニットの正面図。
【図４】図３のＡ−Ａ線での断面図。
【図５】本実施例のフォーカスユニットを構成するコロリング、フォーカスキー、カラーセンサおよびスケールを示した斜視図。
【図６】本実施例のフォーカスユニットの模式図およびスケールの展開図
【図７】実施例１におけるフォーカスユニットへのセンサＦＰＣユニットの取り付け状態を示す斜視図。
【発明を実施するための形態】
【００１３】
図１〜図７には、本発明の実施例であるズームレンズ鏡筒（レンズ装置）を示している。このズームレンズ鏡筒は、図１に示すように、ＣＣＤセンサやＣＭＯＳセンサ等の撮像素子１０１を備えた一眼レフデジタルカメラ（以下、カメラ本体という）１００又はフィルムを使用する一眼レフフィルムカメラに対して着脱可能な交換レンズである。
【００１４】
図１は、該ズームレンズ鏡筒のＷＩＤＥ端における内部構成を示す断面図であり、図２はＴＥＬＥ端における内部構成を示す断面図である。図３は本ズームレンズ鏡筒のフォーカスユニットを光軸方向から見たときの構成を示す図であり、図４は図３におけるＡ−Ａ線での断面図である。図５はフォーカスユニットを構成する部材の斜視図であり、図６はフォーカスユニットの主要部品の位置関係を光軸方向から見て模式的に示した図であり、図７は該ＦＰＣユニットをフォーカスユニットに組み込んだ状態を示す斜視図である。
【００１５】
まず、図１〜図４を用いて本実施例のズームレンズ鏡筒の構成について説明する。本レンズ鏡筒は、焦点距離範囲が２４ｍｍ〜１０５ｍｍのズームレンズであり、ズームリング７の回転操作に連動してカム環３０を案内筒２９に対して光軸方向定位置で回転させることにより、焦点距離が変化する。
【００１６】
Ｌ１は１群レンズユニットであり、１群保持枠１９に保持されている。１群保持枠１９は、その外周に配置された移動筒１に不図示のビスにより一体的に固定されている。
【００１７】
移動筒１は、直進筒２４に不図示のビスで固定されている。案内筒２９には、光軸方向に延びるように直進溝（図示せず）が形成されており、カム環３０には第１のカム溝（図示せず）が形成されている。これら直進溝と第１のカム溝には、直進筒２４に一体的に固定された直進カムフォロワ（図示せず）が係合している。これにより、カム環３０の回転に伴い、ＷＩＤＥ端とＴＥＬＥ端との間で、移動筒１およびこれに保持された１群レンズユニットＬ１が光軸方向に移動する。なお、１群鏡筒１９は移動筒１に対してビスで固定される前に、位置調整ができる構成となっている。
【００１８】
Ｌ２は２群レンズユニットであり、２群鏡筒２７に保持されている。２群鏡筒２７の外周部には、不図示のカムフォロワ部とキー連動部２７ａとが形成されており、それぞれフォーカスカム環２８の内周に形成されたカム２８ａとフォーカスユニット４０内のフォーカスキー５０とに係合している。これにより、２群鏡筒２７は、フォーカスユニット４０の出力によりフォーカスキー５０が回転した際に、これに連動したカム２８ａとカムフォロワ部とのカム作用によって、光軸回りで回転しながら光軸方向に移動する。フォーカスユニット４０の詳細については後述する。
【００１９】
本実施例のレンズ鏡筒は、いわゆるインナーフォーカスレンズであり、焦点距離に応じて焦点調節のための２群レンズユニットＬ２の移動量を異ならせる必要がある。つまり、焦点距離に応じてフォーカスカム２８ａの使用位置を変える必要がある。
【００２０】
フォーカスカム環２８に一体的に設けられたカムフォロア部（図示せず）は、カム環３０に光軸方向に延びるように形成された連動溝（図示せず）と案内筒２９に形成された補正カム（図示せず）とに係合している。これにより、フォーカスカム環２８は、カム環３０とともに光軸回りで回転しながら光軸方向に移動する。このような構成により、フォーカスカム２８ａの使用位置を焦点距離の変化に応じて変化させてもピントずれを生じさせない位置に２群レンズユニットＬ２を移動させることができる。
【００２１】
Ｌ３は３群レンズユニットであり、３群鏡筒３２に保持されている。３群鏡筒３２の被写体側（以下、前側ともいう）には、副絞りユニット３１が固定されている。Ｌ４は４群レンズユニットであり、４群鏡筒３４に保持されている。
【００２２】
４群鏡筒３４の前側には、本レンズ鏡筒の開口径を決める絞りユニット３３が固定されている。また、４群鏡筒３４の像面側（以下、後側ともいう）には、周方向等間隔に設けられた３本の接続部３４ａが延びており、その後端には７群鏡筒３６が不図示のビスにより固定されている。
【００２３】
また、４群鏡筒３４の前側端面には、絞りユニット３３を挟んで３群鏡筒３２が固定されている。さらに、４群鏡筒３４の外周面には、周方向等間隔の３箇所に不図示のカムフォロワが固定されている。このカムフォロワは、カム環３０に形成された第２のカム溝（図示せず）と、案内筒２９に形成された直進溝（図示せず）とに係合している。これにより、３群，４群および７群レンズユニットＬ３，Ｌ４，Ｌ７はカム環３０の回転に伴って一体的に光軸方向に移動する。また、案内筒２９に設けられたカムによって副絞りユニット３１内の回転部材が回転し、副絞りの開口径が焦点距離によって変化してＦナンバーの変動を抑えている。
【００２４】
Ｌ５はシフトレンズユニット（５群レンズユニット）であり、防振ユニット３５を構成している鏡筒に保持されている。防振ユニット３５は、コイルとマグネットにより構成されるアクチュエータによってシフトレンズユニットＬ５を光軸に略直交する方向に駆動する。また、防振ユニット３５のベース部材の後側には、６群鏡筒３５ａが３本のビス３５ｂによって固定されている。防振ユニット３５の外周における周方向３箇所には、不図示のカムフォロワが固定されている。これらのカムフォロアは、カム環３０に形成された第３のカム溝（図示せず）と、案内筒２９に形成された直進溝（図示せず）とに係合している。これにより、カム環３０の回転に伴い、５群および６群レンズユニットＬ５，Ｌ６が光軸方向に一体的に移動する。なお、本実施例に用いられている防振ユニット３５は、公知の構成を有しており、その内部構成および詳細な制御に関しての説明は省略する。
【００２５】
７群レンズユニットＬ７は、７群鏡筒３６によって保持されており、７群鏡筒３６は、前述したように３群鏡筒３４の接続部３４ａの後端に固定されている。
【００２６】
以上のように構成されたレンズ鏡筒では、撮影者がズームリング７を回転させると、不図示の連動キーによってカム環３０が一緒に回転する。カム環３０は、案内筒２９とバヨネット結合しているため、案内筒に対しては定位置で回転する。
【００２７】
案内筒２９は、本レンズ鏡筒における固定部を構成し、固定継筒５、外装環８およびカメラ本体１００に装着するためのマウント９と一体的に構成されている。
【００２８】
１７はマウント９の内側に配置された裏蓋であり、レンズ鏡筒内の内面反射を防止するための部材である。
【００２９】
１０はシーリングゴムであり、マウント９がカメラ本体１００に装着される際に、該カメラ本体１００と当接して、マウント９付近の防水防滴性を確保する。
【００３０】
また、１６はカメラ本体１００側との通信を行う接点ブロックであり、レンズ鏡筒の制御を行うＣＰＵ（図示せず）が実装されているメイン実装基板３７にフレキシブルプリント配線基板（ＦＰＣ）３８を介して接続されている。
【００３１】
いわゆる振動型モータを駆動源とするフォーカスユニット４０は、案内筒２９に固定されている。フォーカスユニット４０のベース部材の先端部には、固定筒２３が固定されている。
【００３２】
固定筒２３とフォーカスユニット４０の間のスペースには、レンズ鏡筒の垂直（ピッチ）方向および水平（ヨー）方向の振動を検出するための２つの振動ジャイロ４３がその周囲を固定筒２３とフォーカスユニット４０によって囲まれるように保持されている。このような配置により、振動ジャイロ４３に対して騒音等の外乱の影響が及ぶことを防止している。なお、振動ジャイロ４３は不図示のＦＰＣによってメイン実装基板３７と接続されている。メイン実装基板３７は、該振動ジャイロ４３からの信号に基づいて防振ユニット３５を制御する。
【００３３】
固定筒２３と固定継筒５の前側端面との間にはフォーカスリング３が配置されている。フォーカスリング３の後端部は、フォーカスユニット４０内の連結部に係合しており、フォーカスリング３を回転させることで、前述したフォーカスキー５０を回転させる。これにより、２群レンズユニットＬ２を光軸方向に移動させて、マニュアルフォーカスが行える。
【００３４】
フォーカスリング３の内周部にはその全周にわたって形成された溝３ａがあり、この溝３ａには、固定筒２３の周方向等間隔の３箇所にビス２６によって固定されたコロ２５が係合している。これにより、フォーカスリング３は、固定筒２３に対する光軸方向への移動が阻止された状態で回転操作が可能となっている。
【００３５】
４，６は操作ゴムであり、それぞれフォーカスリング３およびズームリング７の外周面上に形成された溝内に嵌め込まれ、各リングの操作を行い易く（滑らないように）している。
【００３６】
また、３９は距離目盛が印刷されているシートであり、前述したフォーカスキーが固定された回転環(コロリング５４)上に設けられている。該シート３９上の距離目盛は、固定継筒５上に設けられた窓１１を通して撮影者が確認することができる。
【００３７】
本レンズ鏡筒では、上記操作部には防水防滴構造としてシーリング部材４１，４２を設けたり、防水防滴油を塗布したりしている。これにより、レンズ鏡筒全体として防水防滴性能を発揮できる。また、図１と図２から分るように、本レンズ鏡筒はズーミングによって全長が変化する。
【００３８】
次に、図３〜図７を用いて本実施例のフォーカスユニット４０について説明する。フォーカスキー５０は、フォーカスユニット４０の出力部であり、フォーカスユニット４０の回転出力を２群鏡筒２７に伝達する伝達部材である。フォーカスキー５０の先端部５０ａは、２群鏡筒２７のキー連動部２７ａと、光軸方向の移動を許容した状態で回転方向において係合する。
【００３９】
５１はユニット本体(固定部材)であり、フォーカスユニット４０の固定部としての第１の部材を構成する。該ユニット本体５１の後端部５１ａに設けられた内側突起部において、図１に示した案内筒２９にビス止め固定されている。
【００４０】
５２はマニュアル連結環であり、その外周に設けられた突起部５２ａがフォーカスリング３の後側凹部（図示せず）に係合する。これにより、フォーカスリング３の回転をフォーカスユニット４０に入力できる。マニュアル連結環５２の内周面は、マニュアル摺動部材５３に対して周方向および光軸方向にて摺動可能である。マニュアル摺動部材５３は、ユニット本体５１に回転が阻止された状態で結合している。
【００４１】
５４はユニット本体５１の外周に配置されたコロリング（可動部材）であり、ユニット
本体５１に対して光軸の周囲において回転可能な回転部材としての第２の部材を構成する。図４および図５に示すように、コロリング５４の外周面における等間隔３箇所には、光軸に直交する方向に延びる軸５４ａが形成されている。この軸５４ａには、コロ５５が止め輪５６によって回動自在に保持されている。コロリング５４の前側には摺動部５４ｂが設けられており、該摺動部５４ｂはユニット本体５１の摺動部５１ｂに対して回転方向に摺動する。また、コロリング５４の周方向１箇所には、前述したフォーカスキー５０がビス７０によって固定されている。また、図４および図５に示すように、コロリング５４の内周面５４ｃのうち摺動部５４ｂの後側には、任意幅で配色の異なる色彩エンコーダパターンの印刷されたスケール５７が両面テープによって接着されている。
【００４２】
ユニット本体５１の内周側には、ストッパ端面５１ｃ，５１ｄが周方向に離れて形成されている。これらストッパ端面５１ｃ，５１ｄにフォーカスキー５０の周方向両端５０ｂ，５０ｃがそれぞれ当接することで、フォーカスキー５０の回動範囲が制限される。
【００４３】
スケール５７に対向する位置には、カラーセンサ５９がセンサホルダ５８によってユニット本体５１に固定されている。
【００４４】
６０は連結環であり、その前端はコロリング５４に設けられた３つのコロ５５に当接している。また。連結環６０の後端はゴムリング６１を介して振動型モータを構成しているロータ６２に結合されている。
【００４５】
６３は振動型モータのステータである。ステータ６３の後端には圧電素子ＰＺＴが貼り付けられている。圧電素子ＰＺＴは、給電用ＦＰＣ６８と一体となっており、該ＦＰＣ６８から入力される電気信号によってステータ６３に振動を励起する。ステータ６３の前端面の質点には楕円運動の振動が発生する。これにより、ステータ６３の前端面に圧接するロータ６２を回転駆動する。また、ステータ６３は、その後方に設けられたフェルト部材６４を介して加圧バネ６５および加圧リング６６によって前方に加圧された状態でユニット本体５１に保持されている。この加圧力によって、ステータ６３がロータ６２に圧接し、連結環６０の前端面がコロ５５に圧接する。
【００４６】
以上の構成において、振動型モータの出力によってロータ６２および連結環６０が回転すると、コロ５５がマニュアル連結環５２の後端面上を転動する。これにより、コロリング５４が図４に示す光軸（ズームレンズ鏡筒の光軸）ＡＸＬの周囲で回転する。そして、コロリング５４に取り付けられたフォーカスキー５０が上記回動範囲で回動し、２群鏡筒２７を回転させる。２群鏡筒２７が回転すると、フォーカスカム環２８に形成されたカム２８ａと２群鏡筒２７に設けられたカムフォロワ部とのカム作用によって、２群鏡筒２７は光軸方向に移動する。このフォーカスカム環２８と２群鏡筒２７とのカム機構が、フォーカス駆動機構を構成する。
【００４７】
マニュアルフォーカス操作を行う場合には、マニュアル連結環５２を回転操作する。マニュアル連結環５２の回転により、コロ５５が連結環６０の前端面上を転動し、これによりコロリング５４が光軸ＡＸＬの周囲で回転する。フォーカスキー５０は上記回動範囲で回動し、２群鏡筒２７を回転駆動する。以上の構成によって、２入力１出力のフォーカスユニットを達成できる。
【００４８】
なお、振動型モータの制御（オートフォーカス制御）は、カメラ本体１００から送信されてきた焦点検出情報と、センサ５９および反射スケール５７によって構成されるエンコーダからの出力とに基づいて行われる。該制御は、図１および図２に示すメイン回路基板３７上に構成された不図示の制御回路によって行われる。具体的なオートフォーカス制御の内容や、振動型モータの駆動原理は公知であるのでここでは説明を省略する。
【００４９】
図５には、図３に示したコロリング５４、フォーカスキー５０、スケール５７、ホルダ５８およびカラーセンサ５９を抜き出して示している。
【００５０】
スケール５７は、コロリング５４の径方向の段差５４ｅと周方向の段差５４ｄを基準にして、コロリング５４の内周面５４ｃに貼り付けられている。フォーカスキー５０およびカラーセンサ５９は、スケール５７の印刷領域の周方向中央部に配置されている。言い換えれば、カラーセンサ５９は、フォーカスキー５０の回動範囲の中央部に対応する位置に配置されている。
【００５１】
なお、本実施例ではコロリング５４の回転位相ゾーンを検知するための位置検出手段として色彩エンコーダパターンによるスケール５７とカラーセンサ５９を使用している。さらに高い回転検出分解能を実現するためには回転位相ゾーンとの検出と、不図示の反射式光学エンコーダによる位置検出系を組み合わせることで、より高い回転検出分解能を実現できる。
【００５２】
ここで、コロリング５４とユニット本体５１との間には、コロリング５４を回転可能とするためのギャップ（径方向の嵌合ガタ）が設けられている。このため、振動型モータからの駆動力がコロリング５４に作用すると、コロリング５４およびフォーカスキー５０は、矢印Ｂ方向に移動する。しかし、このとき、カラーセンサ５９に対してスケール５７も矢印Ｂ方向に移動するので、フォーカスキー５０の移動を検出することができる。
【００５３】
図６には、本実施例におけるユニット本体５１、コロリング５４、フォーカスキー５０、スケール５７およびカラーセンサ５９の位置関係を光軸方向から見て模式的に示している。なお、図６では、フォーカスキー５０とスケール５７とカラーセンサ５９とが同一断面上に配置されているように記載されているが、実際は、フォーカスキー５０は、スケール５７とカラーセンサ５９よりも前方（図６の紙面に垂直な方向）に配置されている。
【００５４】
図６の上部に記載された色配列表は、スケール５７に印刷された色配列の例であり、スケール５７を展開して内周側から見た際の図である。各色は前述した回転位相ゾーンごとに配色が切り替わるように構成されている。
【００５５】
この図において、Ｍは光軸ＡＸＬを中心としたフォーカスキー５０（の中心）の回動範囲を示す。Ｒは光軸ＡＸＬを中心とし、該光軸ＡＸＬとフォーカスキー５０の回動範囲の両端位置とを通る２本の直線Ｐで挟まれた角度領域（以下、所定角度領域という）である。カラーセンサ５０は、光軸方向においてこの所定角度領域Ｒに重なる位置、特に該所定角度領域Ｒの中央に重なるように配置されている。なお、ここにいう所定角度範囲Ｒに重なるとは、図６の紙面上に示した所定角度範囲Ｒを、光軸方向である紙面に垂直な方向（奥方向および手前方向）に延ばした立体的な範囲内に含まれることを意味する。また、所定角度範囲Ｒに重なる位置とは、カラーセンサ５９の一部が該所定角度範囲Ｒの端を示す直線Ｐと光軸ＡＸＬを通る面上にあればよい。また、Ｓはスケール５７の貼り付け範囲を示す。
【００５６】
次に位置検出方法について説明する。不図示の発光素子から発光された光はスケール５７に反射してカラーセンサ５９で受光する。カラーセンサ５９は受光した光をＲ（赤）・Ｇ（緑）・Ｂ（青）それぞれの色信号別に検出し、その検出検出強度を電気信号として出力できるため、色彩エンコーダパターンを有したスケール５７の色を識別できる。色彩エンコードパターンは任意の幅で色が異なるように配色されているため、その色を識別することでコロリング５４の角度位相を検出可能となる。
【００５７】
色彩エンコーダパターンは、インクジェットプリンターやレーザープリンター等により印刷して製造される。その際使用されるインクは、耐光性・耐ガス性・耐湿性に優れたものが望ましい。
【００５８】
昨今のカラーセンサは小型化が進み、パッケージサイズが約3.0ｍｍ（横）×2.0ｍｍ（縦）×0.6ｍｍ（厚み）の小型パッケージを実現した製品も商品化されている。小型パッケージ化されたカラーセンサを位置検出系に使用することで、従来のブラシ方式による位置検出手段に比べて省スペースに配置することが可能となる。したがって、レンズ鏡筒を小型化することができる。
【００５９】
また、カラーセンサ５９とスケール５７による検出系は非接触であるため、作動による磨耗等がない。したがって、耐磨耗処理を検出系に施す必要がないため低コスト化が可能出る。
【００６０】
以上、本発明の実施例について説明したが、本発明はこれらの実施例に限定されず、請求項の記載した内容の範囲内で種々の変形や変更が可能である。例えば、上記実施例では、カラーセンサ５９を固定部材であるユニット本体５１に設け、スケール５７を回転部材であるコロリング５４に設けた場合について説明した。しかし、本発明はこれに限らず、センサを回転部材に設け、反射スケールを固定部材に設けてもよい。
【００６１】
また、本実施例ではスケールを回転位相ゾーンを検知するために任意幅で配色の異なる色彩エンコーダパターンとしたが、本検出系のみでより高い回転分解能を実現するための手段として、グラデーション印刷を施したスケールでもよい。回転位相の変化に応じて色強度を直線的に変化させたグラデーション印刷とすることで、前述した反射式光学エンコーダによる位置検出系を組み合わせることなく絶対位置を高分解能で検出することができる。したがって、検出系のさらなる小型化、低コスト化が可能である。
【００６２】
また本実施例ではフォーカスユニット内の定位置回転リングに位置検出系を配置したが、ズーム作動を行うための定位置回転リングに位置検出系を設けて、ズーム回転位相ゾーンを検出する手段として用いてもよい。
【００６３】
上記各実施例では、一眼レフカメラ用の交換レンズ鏡筒について説明したが、本発明は、レンズ一体型のカメラ、ビデオカメラ等の光学機器のレンズ鏡筒部にも適用することができる。
【符号の説明】
【００６４】
Ｌ１〜Ｌ７  レンズユニット
３  フォーカスリング
７  ズームリング
３５  防振ユニット
３７  メイン回路基板
４０  フォーカスユニット
５０  フォーカスキー
５１  フォーカスユニット本体
５４  コロリング
５７  スケール
５８  センサホルダ
５９  カラーセンサ
【図１】
2012123150.tif 000003
【図２】
2012123150.tif 000004
【図３】
2012123150.tif 000005
【図４】
2012123150.tif 000006
【図５】
2012123150.tif 000007
【図６】
2012123150.tif 000008
【図７】
2012123150.tif 000009